(57)【特許請求の範囲】
【請求項１】
ガラス面に導電膜を蒸着形成しかつ電極を配設した導電性ガラスにあわせガラスを貼着して焼成してなる導電性強化ガラスからなる発熱ガラス板で少なくとも腰掛け座部を形成したことを特徴とする暖房ガラス椅子。
【請求項２】
前記腰掛け座部の背後側に前記発熱ガラス板で形成した背板を連結したことを特徴とする請求項１に記載の暖房ガラス椅子。
【請求項３】
前記発熱ガラス板で透明あるいは透光性の腰掛け座部及び/または背板を形成したことを特徴とする請求項１または２に記載の暖房ガラス椅子。
【請求項４】
前記発熱ガラス板につながる通電線に可変抵抗器が設けられ、椅子本体部に温度センサーが取り付けられ、前記温度センサーの検出温度信号により前記可変抵抗器の抵抗を調整して前記発熱ガラス板の温度を制御するようにしたことを特徴とする請求項１乃至３のいずれかに記載の暖房ガラス椅子。
【請求項５】
前記発熱ガラス板につながる通電線にスイッチ制御装置が設けられ、椅子本体部に温度センサー及び/または人感センサーが取り付けられ、前記温度センサー及び/または人感センサーの検出信号により前記前記発熱ガラス板への通電を制御するようにしたことを特徴とする請求項１乃至４のいずれかに記載の暖房ガラス椅子。
【請求項６】
暖房ガラス椅子を形成する発熱ガラス板は複数のパートに分割して形成し、前記発熱ガラス板の各パートにつながる通電線は通電制御装置を介して電源に接続し、前記発熱ガラス板の各パートへの通電のタイミングを制御するようにしたことを特徴とする請求項１乃至５のいずれかに記載の暖房ガラス椅子。
【請求項７】
導電性ガラスの導電膜は、ガラス面に酸化錫を基礎成分とする溶液に金属製物質を添加した導電性溶液を高温蒸着して透明導電膜を形成してなることを特徴とする請求項１乃至６のいずれかに記載の暖房ガラス椅子。
【請求項８】
ガラス面に導電膜を蒸着形成しかつ電極を配設した導電性ガラスにあわせガラスを貼着して焼成してなる導電性強化ガラスからなる発熱ガラス板で衝立て状の人体支え板を形成したことを特徴とする暖房背もたれ。
【請求項９】
前記発熱ガラス板で透明あるいは透光性の人体支え板を形成したことを特徴とする請求項８記載の暖房背もたれ。
【請求項１０】
前記人体支え板の前面に取手部を設けたことを特徴とする請求項８または９に記載の暖房背もたれ。
【請求項１１】
前記発熱ガラス板につながる通電線に可変抵抗器が設けられ、前記人体支え板に温度センサーが取り付けられ、前記温度センサーの検出温度信号により前記可変抵抗器の抵抗を調整して前記発熱ガラス板の温度を制御するようにしたことを特徴とする請求項８乃至１０のいずれかに記載の暖房背もたれ。
【請求項１２】
前記発熱ガラス板につながる通電線にスイッチ制御装置が設けられ、前記人体支え板に温度センサー及び/または人感センサーが取り付けられ、前記温度センサー及び/または人感センサーの検出信号により前記前記発熱ガラス板への通電を制御するようにしたことを特徴とする請求項８乃至１１のいずれかに記載の暖房背もたれ。
【請求項１３】
暖房背もたれを形成する発熱ガラス板は複数のパートに分割して形成し、前記発熱ガラス板の各パートにつながる通電線は通電制御装置を介して電源に接続し、前記発熱ガラス板の各パートへの通電のタイミングを制御するようにしたことを特徴とする請求項８乃至１２のいずれかに記載の暖房背もたれ。
【請求項１４】
導電性ガラスの導電膜は、ガラス面に酸化錫を基礎成分とする溶液に金属製物質を添加した導電性溶液を高温蒸着して透明導電膜を形成してなることを特徴とする請求項８乃至１３のいずれかに記載の暖房背もたれ。
【発明の詳細な説明】
【技術分野】
【０００１】
本発明は、発熱ガラス板を用いた暖房ガラス椅子および暖房背もたれに関し、特に野外で使用するのに有用な暖房ガラス椅子および暖房背もたれに関する。
【背景技術】
【０００２】
交流または直流電源での低電圧を利用し、直接人体に触れる暖房器具としては従来から電熱毛布や電熱マット、電気アンカ、その他種々のものが知られている。例えば、特許文献１の加熱装置はシート状の活性炭素繊維の導電抵抗作用を利用し、該活性炭素繊維の両端に電極を取り付け、これを敷布や毛布、あるいは座席、椅子等の加温対象物に装着している。また、特許文献２には、ガラス繊維布にカーボンを焼き付けして発熱シートを構成し、これを椅子の腰掛け部の下方に配置し、使用時に前方へ張り出させて足元を温める床暖房機能付き椅子が開示されている。その他、電熱利用ではないが、椅子の背もたれ板を中空に形成し、温水あるいは冷水を入れた水嚢を前記背もたれ板の中空部に収容した冷温用椅子も知られている（特許文献３）。
【先行技術文献】
【特許文献】
【０００３】
【特許文献１】特開平１０−３２０８０号公報
【特許文献２】特開２００６−１４１７３９号公報
【特許文献３】特開２００９−１１８９７２号公報
【発明の概要】
【発明が解決しようとする課題】
【０００４】
上述した特許文献に係る暖房器具はいずれも、日常の生活用品、特に室内で使用することを意図したものであり、野外の広い場所で簡単に電源につないで使用することには難がある。特に駅の待合室やホーム、バス停、公園、屋外レストランなどの施設で冬場に暖をとる設備としては、大型のガス暖房機や暖房送風機などの大がかりな設備を必要とし、かつ人の集まる周囲全体を暖房する形態となっている。このような大がかりな設備では、１日に例えばプロパンガス１本程を消費する割には暖房効果は低いという問題があった。
【０００５】
本発明は、室内で使用する椅子だけでなく、屋外の上記施設や場所に設置される椅子やベンチ等に使用して有用であり、人が座ったときに人体の接触する部位を局部的に温めることにより、できるだけ排出する熱エネルギーを少なくし、暖房効果の高い暖房ガラス椅子（ベンチ、スツール他）を提供することを目的とする。
【０００６】
本発明はまた、駅のホームや野外催場などで人が立ち姿勢で寄りかかって暖をとることができる衝立て状の暖房背もたれを提供することを目的とするものである。
【課題を解決するための手段】
【０００７】
上記目的を達成するため本発明に係る暖房ガラス椅子は、ガラス面に導電膜を蒸着形成しかつ電極を配設した導電性ガラスにあわせガラスを貼着して焼成してなる導電性強化ガラスからなる発熱ガラス板で少なくとも腰掛け座部を形成したことを特徴とするものである。
これにより、人が着座したときに人体の接触部位を効果的に温めることができる。人が座ったときにも充分荷重に耐えることができ、また夏場にはガラス面の冷えた感触が得られる。
【０００８】
本発明の１つの形態によれば、前記腰掛け座部の背後側に前記発熱ガラス板で形成した背板を連結したことを特徴とする。
これにより、人体の腰部分のみでなく、背中も同時に温めることができ、効率のよい暖房椅子が得られる。
【０００９】
本発明の他の形態によれば、前記発熱ガラス板で透明あるいは透光性の腰掛け座部及び/または背板を形成したことを特徴とする。
【００１０】
本発明のさらに他の形態によれば、前記発熱ガラス板につながる通電線に可変抵抗器が設けられ、椅子機枠に温度センサーが取り付けられ、前記温度センサーの検出温度信号により前記可変抵抗器の抵抗を調整して前記発熱ガラス板の温度を制御するようにしたことを特徴とする。また、前記発熱ガラス板につながる通電線にスイッチ制御装置が設けられ、椅子本体部に温度センサー及び/または人感センサーが取り付けられ、前記温度センサー及び/または人感センサーの検出信号により前記前記発熱ガラス板への通電を制御するようにしたことを特徴とする。
この形態により、常時外気の温度に対応した適切な温度の暖をとることができ、また、暖房の不要な気温になったときには、自動的に通電が切れるようにすることにより、節電がもたらされる。
【００１１】
本発明のさらに他の形態によれば、暖房ガラス椅子を形成する発熱ガラス板は複数のパートに分割して形成し、前記発熱ガラス板の各パートにつながる通電線は通電制御装置を介して電源に接続し、前記発熱ガラス板の各パートへの通電のタイミングを制御するようにしたことを特徴とする。
この形態により、一定の時間間隔で、通電、遮断を繰り返すことにより、全体の温度を維持したまま節電を図ることができる。
【００１２】
本発明のさらに他の形態によれば、導電性ガラスの導電膜は、ガラス面に酸化錫を基礎成分とする溶液に金属製物質を添加した導電性溶液を高温蒸着して透明導電膜を形成してなることを特徴とする。
【００１３】
また、本発明に係る暖房背もたれは、ガラス面に導電膜を蒸着形成しかつ電極を配設した導電性ガラスにあわせガラスを貼着して焼成してなる導電性強化ガラスからなる発熱ガラス板で衝立て状の人体支え板を形成したことを特徴とする。
この暖房背もたれにより、例えば駅のホーム等で電車がくるまで発熱ガラス製の支え板に寄りかかっている間に同時に暖をとることができ、また、野外催場の立ち席や道の駅の広場で使用した場合にも同様の効果が得られる。
【００１４】
本発明のさらに他の形態によれば、前記発熱ガラス板で透明あるいは透光性の人体支え板を形成したことを特徴とする。
【００１５】
本発明のさらに他の形態によれば、前記人体支え板の前面に取手部を設けたことを特徴とする。
この形態により、支え板にも安全に寄りかかることができる。
【００１６】
本発明の他の形態による暖房背もたれによれば、前記発熱ガラス板につながる通電線に可変抵抗器が設けられ、前記人体支え板に温度センサーが取り付けられ、前記温度センサーの検出温度信号により前記可変抵抗器の抵抗を調整して前記発熱ガラス板の温度を制御するようになされている。また、前記発熱ガラス板につながる通電線にスイッチ制御装置が設けられ、前記人体支え板に温度センサー及び/または人感センサーが取り付けられ、前記温度センサー及び/または人感センサーの検出信号により前記前記発熱ガラス板への通電を制御するようにしたことを特徴とする。
この形態により、常時外気の温度に対応した適切な温度の暖をとることができ、また、暖房の不要な気温になったときには、自動的に通電が切れるようにすることにより、節電がもたらされる。
【００１７】
暖房背もたれを形成する発熱ガラス板は複数のパートに分割して形成し、前記発熱ガラス板の各パートにつながる通電線は通電制御装置を介して電源に接続し、前記発熱ガラス板の各パートへの通電のタイミングを制御するようにしたことを特徴とする。
この形態により、一定の時間間隔で、通電、遮断を繰り返すことにより、全体の温度を維持したまま節電を図ることができる。
【００１８】
本発明のさらに他の形態によれば、導電性ガラスの酸化導電膜は、ガラス面に酸化錫を基礎成分とする溶液に金属製物質を添加した導電性溶液を高温蒸着して透明導電膜を形成してなることを特徴とする。
【発明の効果】
【００１９】
本発明に係る暖房ガラス椅子および暖房背もたれによれば、極めて少ない消費電力で、かつ排ガスも発生せずに人が着座したり、もたれかかったりしたときに人体の接触部位を効果的に温めることができる。また、人の周囲空間全体を暖気状態にすることなく、腰や背中など接触箇所を直接温めることができるので、野外の各種施設で使用する場合に高い暖房効果を得ることができる。
【図面の簡単な説明】
【００２０】
【図１】本発明の実施例による暖房ガラス椅子の全体斜視図である。
【図２】本発明の他の実施例による暖房スツールの全体斜視図である。
【図３】発熱ガラス板が複数個に分割された暖房スツールの通電制御システムを示した概略図である。
【図４】本発明の実施例による暖房背もたれの全体斜視図である。
【発明を実施するための形態】
【００２１】
次に、本発明を図面を参照して好適な実施例について説明する。
近年、ウォームガラス（登録商標）と称される導電性の発熱ガラスが開発されている。これは薄いガラス板の表面に、酸化錫（ＳｎＯ２）を基礎成分とする溶液に数種の金属性物質を添加した導電性溶液を化学気相蒸積法により炉中で高温蒸着（スプレー蒸着）して透明導電膜を形成した導電性の透明ガラスであり、端部に電極を焼き付け、これに通電することにより、ガラス面全体に発熱を生じさせるようにしたものである。
【００２２】
本発明の暖房ガラス椅子および暖房背もたれに用いる発熱ガラスは、透明導電膜を形成した導電性ガラスを強化ガラス製造用の炉であわせガラスを貼着して焼成し、透明導電膜の保護を兼ねた導電性強化ガラスとしている。この発熱ガラスの温度は、導電膜の種類および電極に接続する通電ケーブルの抵抗値を制御することにより、温度制御することができる。本発明はこの発熱ガラス板を利用して暖房ガラス椅子および暖房背もたれを構成したものである。
【実施例１】
【００２３】
図１は本発明の実施例１に係る暖房ガラス椅子の斜視図である。この例は２人掛け用の椅子として構成したものであるが、勿論本発明はこのような形態の椅子に限定されるものではなく、１人用の椅子あるいは多数人の座るベンチのような椅子であってもよい。
【００２４】
図１の実施例の暖房ガラス椅子１は両端および中央に、それぞれ２本の前後脚柱２，３が上端で横桁部材５により連結され、かつ後脚３の上端に背柱６が連結されて椅子１の機枠が形成されている。各機枠の横桁部材５を結ぶように腰掛け座部７が取り付けられ、さらに各背柱６にまたがって人が座ったときの背中を支持する背板８が取り付けられている。ここで腰掛け座部７および背板８は前述した導電膜が形成された透明発熱ガラス板で構成されている。前記座部７および背板８の発熱ガラス板はそれぞれ両端に電極９，１０が形成され、さらに、これらの電極９，１０に電源コード１１の通電線１２が接続されて電源へと繋がっている。これらの腰掛け座部７および背板８は人が座ったときの荷重に十分耐え得るように所定の厚みの強化ガラスが貼着されている。なお、電極９，１０および前記強化ガラスは発熱ガラス板と共に専用の炉中で加熱処理することにより発熱ガラス板と一体化される。前記強化ガラス板で補強された腰掛け座部７および背板８の厚みは椅子の種類、大きさ等にも依るが、例えば３．２ｍｍ、４ｍｍ、６ｍｍ、８ｍｍ程度に選定される。
【００２５】
また、暖房ガラス椅子１の加熱温度は、人が暖をとるのにちょうど良い、通常風呂の湯の温度、例えば３０ーＣ〜４２ーＣに設定されるが、この温度設定は野外に設置した場合の外気温度に応じて適宜変更することができる。この実施例では、発熱ガラス板の電極９，１０から引き出される電源コード１１の通電線１２に可変抵抗器１３が設けられ、発熱ガラス板への通電抵抗を変えることにより、温度を制御できるようにしてある。他の例としては、暖房ガラス椅子１の適当な椅子本体部位、例えばこの実施例では機枠部分に温度センサー１５が取り付けられ、また、可変抵抗器１３に付属して抵抗制御装置１７が設けられ、この温度センサー１５の外気温度検出信号により、抵抗制御装置１７を介して前記可変抵抗器１３の抵抗値を自動的に調整して暖房ガラス椅子１の温度制御をするようになっている。これによって例えば、朝方とか夕方、あるいは夜の外気温度が低いときにはガラス椅子１の温度を上げ、日中に気温が上昇したときには暖房ガラス椅子１の温度が自動的に下がるようにすることができる。また、温度センサーを腰掛け座部７あるいは背板８に取り付けて暖房ガラス椅子本体温度検出信号により、抵抗制御装置１７を介して前記可変抵抗器１３の抵抗値を自動的に調整して暖房ガラス椅子１の温度制御をするようにしてもよい。
【００２６】
また、この実施例１では、スイッチ機構１６およびこのスイッチ機構１６をオン、オフ制御するスイッチ制御装置１８が設けられている。暖房が不要となる程度に気温が下がったとき、温度センサー１５の信号により、スイッチ制御装置１８を介して通電線１２に設けられたスイッチ機構１６がオフとなるようにし、これによって自動的に暖房ガラス椅子１への通電が切れるようにすることで節電となる。なお、図示の実施例では温度センサー１５は椅子本体の機枠部分に設けているが、椅子本体部の外気に触れる他の本体部分、例えば腰掛け座部７あるいは背板８など、前記発熱ガラス板を補強する強化ガラス板の適当な部位に温度センサー１５を取り付けるようにしてもよい。この場合の温度センサーとしてはシート状の温度センサーが好適に採用可能である。
【００２７】
さらに、外気温による温度低下が比較的少ない暖房ガラス椅子においては、暖房ガラス椅子に繋がる通電線１２に流れる電流値と温度の相関関係が比較的安定しているので、電流計測計（不図示）で検出し、この信号により、スイッチ制御装置１８によりスイッチ機構１６のオン、オフを制御したり、抵抗制御装置１７を介して前記可変抵抗器１３の抵抗値を自動的に調整して暖房ガラス椅子１の温度制御をするようにすることもできる。
【００２８】
さらには、必要に応じて腰掛け座部７あるいは背板８など、前記発熱ガラス板を補強する強化ガラス板の適当な部位に人感センサー（不図示）を取り付け、人が座ったときに人感センサーの検出信号により、スイッチ制御装置１８を介して通電線１２に設けられたスイッチ機構１６のオン、オフを制御したり、この人感センサーの信号により、抵抗制御装置１７を介して前記可変抵抗器１３の抵抗値を自動的に調整して暖房ガラス椅子１の温度制御をするようにすることもできる。
【００２９】
さらに、国によって商用定格電圧が異なる場合にも、その国の電圧に対して通電抵抗値を決めることにより、他国での設置に適切に対応することができる。なお、設定温度３０℃〜４２℃の場合に通電電流は概ね１０〜２０アンペアである。
【００３０】
そのほか本発明においては、暖房ガラス椅子への通電を利用して種々の付属品を付加して特別の効果を発揮させることができる。例えば、この暖房ガラス椅子にＬＥＤを配設して光学的な演出を呈するようにしたり、あるいは発光する広告や照明表示を入れるなどの機能をもたせることも可能である。
【実施例２】
【００３１】
本発明の実施例２は横長の暖房ガラススツール２０として構成した例である。図２に示すように、この例のスツール２０は４人程度座れるような長さの基台２１を有しており、その上面には強化ガラス板２２で補強された発熱ガラス板２３が搭載されている。この場合、発熱ガラス板２３はスツール長さ方向に４体に分割されており、それぞれに一対の電極２５，２６が設けられて図示しない通電ケーブルを介して電源に接続されている。各々の電極２５，２６はそれぞれ共通の電源に直接接続して４個の発熱ガラス板が同時に付勢されるようにしてもよいが、４個の発熱ガラス板に対して通電のタイミングをずらせて通電することもできる。図３はこの場合の通電制御システムを示した概略図である。一般に発熱ガラスは通電後の昇温は遅いが、通電遮断後冷めるのも遅く、しばらくは温暖状態が維持されるという特徴がある。したがって、長椅子や長いベンチ、横長のスツールのような場合、発熱ガラス板を複数個に分割し、一定の時間間隔で、例えば１０秒〜３０秒間隔で順次通電、遮断を繰り返すことにより、全体の温度を維持したまま節電を図ることができる。
【００３２】
具体的には、図３に示すように、４個に分割した発熱ガラス板２３（１）〜２３（４）の各電極２５，２６は通電制御装置２７を介して共通の電源２８に接続されている。通電制御装置２７はタイマ機構およびスイッチ機構（いずれも図示省略）が内蔵され、まず片端の発熱ガラス板２３（１）（Ｎｏ．１ガラス板）が所定時間、例えば３０秒通電された後、この部分の通電が遮断され、同時に隣の発熱ガラス板２３（２）（Ｎｏ．２ガラス板）が所定時間通電された後遮断され、同時に、さらにその隣の発熱ガラス板２３（３）（Ｎｏ．３ガラス板）の通電がなされる、というように一定のサイクルで４個の発熱ガラス板２３（１）〜２３（４）の通電、遮断が繰り返される。このようにして長いベンチやスツールでは節電を図りながら全体としてほぼ一定の温度を確保することができる。
【００３３】
なお、この実施例２においても、実施例１と同様に温度センサー、可変抵抗器および抵抗制御装置、スイッチ機構およびスイッチ制御装置を設けて、外気の変化に対応してスツールの温度制御、および通電自動遮断を行うようにしてもよい。
【実施例３】
【００３４】
図４は本発明に係る暖房背もたれ３０の実施例を示した斜視図である。地面あるいは任意の施設の床上に板状の基台３１が立設され、この基台３１の上部に地面や床面に対して垂直に発熱ガラス板３２が取り付けられている。この発熱ガラス板３２に人が立ち姿勢で、例えば背中を発熱ガラス板３２に触れさせるように寄りかかることにより、電極３５，３６に通電した際の発熱ガラス板３２の温度で暖をとることができる。なお、この場合も発熱ガラス板３２は補強のために熱伝導性のよい強化ガラス板３３で一体に形成されている。強化ガラス板３３の前面には人が寄りかかったとき身体を支えるための適当な取手、この実施例では長尺の棒状取手３７が取り付けられている。尚、棒状取手３７にかえて、肘掛け、仕切り板、人体の形状に沿った凹み部等を形成してもよい。
【００３５】
実施例３の暖房背もたれ３０に対しても、実施例１，２と同様に温度センサー、可変抵抗器および抵抗制御装置、スイッチ機構およびスイッチ制御装置を設けて、外気の変化に対応してスツールの温度制御、および通電自動遮断を行うようにしてもよい。具体的には、暖房背もたれ３０の発熱ガラス板３２を補強する強化ガラス板３３に温度センサー３８が貼着され、また、可変抵抗器３９に付属して抵抗制御装置４０が設けられ、この温度センサー３８の外気温度検出信号により、抵抗制御装置４０を介して前記可変抵抗器３９の抵抗値を自動的に調整して暖房背もたれ３０の温度制御をするようになっている。これによって例えば、朝方とか夕方、あるいは夜の外気温度が低いときには暖房背もたれ３０の温度を上げ、日中に気温が上昇したときには暖房背もたれ３０の温度が自動的に下がるようにすることができる。また、電源ケーブル１１の通電線１２にスイッチ機構４１およびこのスイッチ機構４１をオン、オフ制御するスイッチ制御装置４２が設けられている。暖房が不要となる程度に気温が下がったとき、センサー３８の信号により、スイッチ制御装置４２を介して通電線１２に設けられたスイッチ機構４１がオフとなるようにし、これによって自動的に暖房背もたれ３０への通電が切れるようにすることで節電となる。
【００３６】
さらに、外気温による温度低下が比較的少ない暖房背もたれ３０においては、暖房背もたれ３０に繋がる通電線１２に流れる電流値と温度の相関関係が比較的安定しているので、電流計測計（不図示）で検出し、この信号により、スイッチ制御装置４２によりスイッチ機構４１のオン、オフを制御したり、抵抗制御装置４０を介して前記可変抵抗器３９の抵抗値を自動的に調整して暖房ガラス椅子１の温度制御をするようにすることもできる。
【００３７】
さらには、必要に応じて暖房背もたれ３０の発熱ガラス板３２を補強する強化ガラス板３３に人感センサー(不図示)を取り付け、人が寄りかかったときに人感センサーの検出信号により、通電線１２に設けられたスイッチ機構４１のオン、オフを制御したり、人感センサーの検出信号により、抵抗制御装置４０を介して前記可変抵抗器３９の抵抗値を自動的に調整して暖房背もたれ３０の温度制御をすることができる。
【００３８】
本発明の暖房背もたれ３０は、駅のホームの片隅、駅待合室の壁面近く、あるいは野外の催物広場や道の駅、映画館内の立席箇所、公園など任意の施設に設置し、秋〜冬場の季節に簡易に暖をとるのに有効である。なお、本発明の暖房背もたれは、図示実施例のように板状基台３１の上に設ける場合以外に、直接強化ガラス補強の発熱ガラス板３２を地面や床面に設置してもよいことは勿論である。また、実施例２で説明したように、人の背丈に近い発熱ガラス板３２が横に長いような場合には複数個に分割してもよい。また、このような暖房背もたれは野外だけでなく、例えば図書館などの屋内掲示板近くや新聞立読み架台の前面近くなど、あらゆる箇所に設置可能である。
【００３９】
そのほか本発明の暖房背もたれにおいては、この暖房背もたれへの通電を利用して種々の付属品を付加して特別の効果を発揮させることができる。例えば、暖房背もたれにＬＥＤを配設して光学的な演出を呈するようにしたり、あるいは発光する広告や照明表示を入れるなどの機能をもたせることも可能である。
【００４０】
このように通電後の昇温は遅いが、通電遮断後冷めるのも遅く、しばらくは温暖状態が維持されるという特徴がある発熱ガラスを用いた椅子や背もたれは、外気にさらされても温度低下が少なく、また、人が暖をとるのに適した柔らかい暖かさを提供することができる。さらに、透明あるいは透光性のガラスであるため美観にも優れるとともに、外気にさらされてもカビが繁殖したり、錆びたり、紫外線劣化することがなく、清掃も容易である。
【符号の説明】
【００４１】
１  暖房ガラス椅子
２，３  前後脚柱
５  横桁部材
６  背柱
７  腰掛け座部
８  背板
９，１０  電極
１１  電源コード
１２  通電線
１３  可変抵抗器
１５  温度センサー
１６  スイッチ機構
１７  抵抗制御装置
１８  スイッチ制御装置
２０  スツール
２１  基台
２２  強化ガラス板
２３  発熱ガラス板
２５，２６  電極
２７  通電制御装置
２８  電源
３０  暖房背もたれ
３１  基台
３２  発熱ガラス板
３３  強化ガラス板
３５，３６  電極
３７  棒状取手
３８  温度センサー
３９  可変抵抗器
４０  抵抗制御装置
４１  スイッチ機構
４２  スイッチ制御装置
【図１】
0005419849.tif 000002
【図２】
0005419849.tif 000003
【図３】
0005419849.tif 000004
【図４】
0005419849.tif 000005